(57)【特許請求の範囲】
【請求項１】
キャビネットの天板に、本体と該本体の上側において側方に突出するように周設された被支持部とを有する加熱調理器の該本体が挿通される開口部が形成され、該開口部は上側開口と該上側開口の下側の下側開口と両開口の間の段付き面とを有し、
前記加熱調理器の本体を開口部に挿通させ被支持部を天板における上側開口の外側縁部に載置させた該被支持部の下面と段付き面との間の空間に挿入されて、上面が前記天板の上面と面一となるスペーサが設けられ、
該スペーサは、前記被支持部が上側開口内に収納されるような加熱調理器から、被支持部が上側開口内に収納されず上側開口の外側縁部に載置される加熱調理器に交換をする場合に、前記段付き面に載置されることで、被支持部の下面と段付き面との間の空間を埋めるように装着されることを特徴とする厨房家具。
【請求項２】
スペーサは、加熱調理器の本体を開口部に挿通して加熱調理器の被支持部を天板における上側開口の外側縁部に支持させた時に、加熱調理器の本体が挿通する挿通穴を有した枠体状に形成されていることを特徴とする請求項１記載の厨房家具。
【発明の詳細な説明】
【技術分野】
【０００１】
本発明は、台所に設置されるシステムキッチン等の厨房家具に関し、特に加熱調理器の取付け構造に関する。
【背景技術】
【０００２】
従来、システムキッチン等の厨房家具には、ＩＨ（電磁誘導加熱）クッキングヒータ等の加熱調理器を備えるものがある。加熱調理器は、その本体をキャビネットの天板に形成した開口に上方から挿通し、本体の上側において側方に突出するように設けた外周部をキャビネットの開口の縁に載置するようにして、キャビネットに装着されている。
【特許文献１】特開２００７−２０６９７号公報
【発明の開示】
【発明が解決しようとする課題】
【０００３】
上記従来の厨房家具において、加熱調理器はその外周部をキャビネットの天板に形成された開口の縁に載置するようにしているから、キャビネットの天板と加熱調理器はその外周部との関係として段差が生じている。このように段差が生じていると、鍋等の調理器具を移動させる際に障害があるなどするから、その点においては加熱調理器の上面とキャビネットの天板とを面一にすることが好ましい。
これを解決するためには、例えばキャビネットの開口の縁辺部に加熱調理器の外周部を収納するようにして載置する段差部を設けることが考えられる。
【０００４】
しかしながら、加熱調理器を交換する場合が生じて、交換後の加熱調理器のサイズが交換前の加熱調理器と異なると、段差部が埋められなくなるといった不都合がある。
【０００５】
そこで本発明は、上記課題に鑑み、加熱調理器を交換する場合が生じて、交換後の加熱調理器のサイズが交換前の加熱調理器と異なっても、開口による窪みを生じさせない厨房家具の提供を目的とする。
【課題を解決するための手段】
【０００６】
本発明の厨房家具は、キャビネットの天板に、本体と該本体の上側において側方に突出するように周設された被支持部とを有する加熱調理器の該本体が挿通される開口部が形成され、該開口部は上側開口と該上側開口の下側の下側開口と両開口の間の段付き面とを有し、
前記加熱調理器の本体を開口部に挿通させ被支持部を天板における上側開口の外側縁部に載置させた該被支持部の下面と段付き面との間の空間に挿入されて、上面が前記天板の上面と面一となるスペーサが設けられ、
該スペーサは、前記被支持部が上側開口内に収納されるような加熱調理器から、被支持部が上側開口内に収納されず上側開口の外側縁部に載置される加熱調理器に交換をする場合に、前記段付き面に載置されることで、被支持部の下面と段付き面との間の空間を埋めるように装着されることを特徴としている。
【０００７】
上記構成によれば、被支持部が上側開口内に収納されるような加熱調理器から被支持部が上側開口内に収納されず上側開口の外側縁部に載置される加熱調理器に交換をする場合には、スペーサを段付き面に載置し、被支持部を天板における上側開口の外側縁部に載置して支持させるようにする。
そうすると、平面視した上側開口の左右方向あるいは前後方向の端部側に、被支持部から外側に外れるような領域があったとしても、その外れた部分にスペーサがあることで上側開口が塞がれた状態となっている。
【０００９】
上記構成では、枠体状のスペーサを段付き面に載置し、加熱調理器を、その本体がスペーサの挿通穴および下側開口を上方から挿通するようにして加熱調理器の被支持部を上側開口の外側縁部に支持させる。
【００１０】
本発明の厨房家具では、スペーサは、加熱調理器の本体を開口部に挿通して加熱調理器の被支持部を天板における上側開口の外側縁部に支持させた時に、加熱調理器の本体が挿通する挿通穴を有した枠体状に形成されていることを特徴としている。
【００１１】
上記構成のようにスペーサを枠体状に形成することにより、スペーサを一体物として扱うようになるから、スペーサの開口部への装着が容易になる。
【発明の効果】
【００１５】
本発明の厨房家具によれば、スペーサによって加熱調理器の被支持部の下面と段付き面との間の空間が埋められ、スペーサの上面と天板の上面とは面一となっているから、平面視した上側開口の左右方向あるいは前後方向の端部側に、加熱調理器の被支持部から外側に外れるような領域があったとしても、その外れた部分にもスペーサがあって上側開口が埋められており、したがってキャビネットの天板に上側開口による窪みがなくなる。
【発明を実施するための最良の形態】
【００１６】
以下、本発明に係る厨房家具を、システムキッチンを例として、図面に基づいて説明する。図１はシステムキッチンの上方からの概略斜視図である。
【００１７】
システムキッチン１は、台所２に設置されるものである。システムキッチン１は、床面上に設置されたキャビネット３を有している。キャビネット３には、各種形状、構造の複数の引き出し４が引き出し収納自在に設けられている。
【００１８】
キャビネット３は、コンロキャビネット５、調理台キャビネット６、シンクキャビネット７が順次並設された構成を有しており、キャビネット３の天板としてのワークトップ１０がコンロキャビネット５、調理台キャビネット６、シンクキャビネット７の上部を覆うように取付けられている。
グリル１１を備えた加熱調理器としてのコンロ１２が、キャビネット３を構成するコンロキャビネット５に組込まれており、加熱調理器としてのコンロ１２はＩＨ（電磁誘導加熱）クッキングヒーターを用いたコンロである。
【００１９】
図２はコンロキャビネット５部分の断面図である。キャビネット３のワークトップ１０は、キャビネット３の上板１３の上面１３ａに敷設されている。キャビネット３の上板（裏打ち材）１３は、上板材１４および下板材１５の二枚重ねの木材板から構成されている。ワークトップ１０はステンレスから一体的に形成されている。
【００２０】
コンロキャビネット５部分の上板材１４および下板材１５において、コンロ１２を装着するための開口部５０が設けられている。開口部５０として、上板材１４および下板材１５のそれぞれに平面視して矩形で互いに相対形状に形成された上側開口２０および下側開口２１、並びに段付き面２２を有する。
上側開口２０の開口面積は下側開口２１の開口面積に比べて大きく形成されており、これによって上側開口２０および下側開口２１の間に、下板材１５の下側開口２１の外周部の上面からなる段付き面２２が、上方に露出するよう形成されている。換言すれば、下板材１５には上側開口２０を縮小する方向に水平方向に延長される平面視して矩形フレーム状の延長部２３が一体的に形成されており、この延長部２３の上面が段付き面２２とされている。
【００２１】
段付き面２２は支持部に相当する部分であり、コンロ１２にその本体２４の上側において側方に突出するように鍔状に周設された被支持部２５を支持するために用いられる。
本体２４は、コンロ１２における不図示の電気部品を内臓するとともにグリル１１を備えた部分で、平面視して矩形をなしている。その平面視をした面積は、下側開口２１と同等か小さく形成されている。この構成によって、コンロ１２の本体２４は、下側開口２１に上下方向に挿通可能となっている。
【００２２】
被支持部２５の上面２５ａは鍋等の調理器具２６を載置してこれを電磁的に加熱する部分であり、上面２５ａは水平な平坦面とされており、被支持部２５は平面視して矩形に形成されてその平面視をした面積は、上側開口２０に比べて小さく設定されている。
また、被支持部２５の上下方向高さＨは、その上面２５ａが、被支持部２５をシール部材２７の矩形環部２８を介して段付き面２２に載置した際に、ワークトップ１０の上面１０ａと実質的に面一となる高さに設定されている。
さらに、被支持部２５の側面２５ｂは被支持部２５の中心へ向かって縮小するよう傾斜する縮径面とされ、被支持部２５の底面２５ｃは水平な平坦面とされている。
【００２３】
コンロキャビネット５部分のワークトップ１０において、上側開口２０の内側に中開口３１を形成するよう、上側開口２０の上下中心軸線に向けて下傾斜する傾斜面３２を有する傾斜壁３３が開口四辺を形成するよう一体的に設けられている。
この傾斜壁３３の下端部３３ａは段付き面２２に当接するよう斜め下方に延長されており、その傾斜角度は、被支持部２５の側面２５ｂの傾斜角度と同等に設定されている。
【００２４】
前記シール部材２７は、傾斜面３２と被支持部２５の側面２５ｂとの間、被支持部２５の底面２５ｃと段付き面２２との間に介装されるものである。
すなわちシール部材２７は、被支持部２５の底面２５ｃと段付き面２２との間に介装される前記矩形環部２８と、この矩形環部２８の外端部から斜め上方に傾斜して一体的に設けられて傾斜面３２と被支持部２５の側面２５ｂとの間に介装される平面視してフレーム状の角錐台部３５とから形成されている。矩形環部２８の中心には、平面視して下側開口２１より大きく中開口３１より小さい開口３６が形成されている。なお、シール部材２７は合成ゴム等の弾性材料から形成されている。
【００２５】
矩形環部２８においてその上面２８ａが被支持部２５の底面２５ｃに接触する面であり、下面２８ｂが段付き面２２に接触する面である。角錐台部３５において、その外側面３５ａが傾斜面３２に接触する面であり、内側面３５ｂが被支持部２５の側面２５ｂに接触する面である。
角錐台部３５において、外側面３５ａと内側面３５ｂとは実質的に平行で、これらは傾斜面３２の傾斜と実質的に等しく設定されている。さらに、シール部材２７の幅は傾斜面３２間の幅と実質的に等しく設定されている。また、シール部材２７の上下方向高さは段付き面２２からワークトップ１０の上面１０ａまでの高さに比べてわずかに小さく設定されている。
【００２６】
図３はシール部材２７をコンロキャビネット５に装着する前の断面図、図４はシール部材２７をコンロキャビネット５に装着した後の断面図である。
上記構成において、コンロ１２をコンロキャビネット５に装着する場合、先ずシール部材２７をコンロキャビネット５に装着する。このとき、シール部材２７の矩形環部２８を段付き面２２に載置するようにする。そうすると、シール部材２７において、角錐台部３５の外側面３５ａと傾斜面３２の傾斜と実質的に等しく設定され、シール部材２７の幅は傾斜面３２間の幅と実質的に等しく設定されているから、角錐台部３５の外側面３５ａが傾斜面３２に密着するようにして、シール部材２７は中開口３１に対してしっくり嵌る。
【００２７】
続いて、コンロ１２をその本体２４が下側開口２１を挿通するようにしてコンロ１２を上方からコンロキャビネット５に装着するようにする。そうすると、角錐台部３５の内側面３５ｂの傾斜と被支持部２５の側面２５ｂの傾斜とは実質的に等しく設定されているから、被支持部２５の側面２５ｂが角錐台部３５の内側面３５ｂに密着するようになる。また、被支持部２５の底面２５ｃの外周部が矩形環部２８の上面２８ａに載置され、被支持部２５の上面２５ａは、被支持部２５がシール部材２７の矩形環部２８を介して段付き面２２に載置されると、ワークトップ１０の上面１０ａとが実質的に面一となる（図２参照）。
【００２８】
そして、角錐台部３５の外側面３５ａが傾斜面３２に密着するようにして、シール部材２７は中開口３１に対してしっくり嵌ることで、被支持部２５の側面２５ｂと傾斜面３２との間がシール部材２７の角錐台部３５でシールされる。特に、シール部材２７の矩形環部２８は、被支持部２５からコンロ１２の重さの全部または一部の負荷を受けるから圧縮力を受けて潰れ、シール部材２７の弾性復元力により高いシール性を確保することができる。
【００２９】
また、平面視した際に被支持部２５の側面２５ｂと傾斜面３２との間に中開口３１による隙間が観られ、ここにシール部材２７の角錐台部３５を観ることが可能であるから、使用者に、シールがなされていることを知らせることができる。
【００３０】
また、被支持部２５の上面２５ａとワークトップ１０の上面１０ａとが段差なく実質的に面一となることにより、図５および図６に示すように、鍋や俎板等の調理器具２６を、コンロキャビネット５上から調理台キャビネット６上へ、調理台キャビネット６上からコンロキャビネット５上へ、持ち上げることなく、あるいは支障なく移動させることが容易に可能となる。
【００３１】
本発明の実施形態に係るシステムキッチン１では、コンロ１２を別の種類や大きさのものに交換する場合にでも、コンロキャビネット５が対応できる構成を有している。すなわち、図７の斜視図に示すように、充填部材としてのスペーサ５５、およびシール部材４１とは別のシール部材５６によって、別のコンロ５７に対応可能となっている。この別のコンロ５７として、ガスコンロを挙げている。
コンロ５７は、グリル１１を備えた本体２４と、本体２４の上側において側方に突出するように鍔状に周設された被支持部２５とを有する。
【００３２】
この場合のコンロ５７における被支持部２５は、上側開口２０の左右幅よりも大きな左右幅を有し、上側開口２０の前後幅よりも小さな前後幅を有している。そして上側開口２０と被支持部２５との関係は、本体２４を、上側開口２０および下側開口２１を挿通させるようにして被支持部２５を上側開口２０の外側縁部に載置して支持させると、上側開口２０の左右部側および前側は被支持部２５によって覆われるが、上側開口２０の後側は被支持部２５によっては覆われず、上方に開放された状態となるようになっている。
【００３３】
そこでこの実施形態では、図７ないし図１０に示すように、上側開口２０、特に中開口３１を略充填する前記スペーサ５５が設けられている。ここでスペーサ５５について説明する。これは、中心に下側開口２１と同形状で同じ大きさの挿通穴５８が形成されて平面視して矩形枠状に形成されている。例えばこのスペーサ５５は木材から形成されており、挿通穴５８以外の部分の、全体としての外径形状や寸法は、図２で示した被支持部２５と同様である。
【００３４】
すなわち、上面５５ａおよび下面５５ｂは平坦面であり、外側面５５ｃは傾斜壁３３と実質的に等しい傾斜を有し、高さは、その上面５５ａが、被支持部２５をシール部材２７の矩形環部２８を介して段付き面２２に載置した際に、ワークトップ１０の上面１０ａと実質的に面一となる高さに設定されている。左右幅および前後幅は、シール部材２７の角錐台部３５の厚み分だけ中開口３１の左右幅および前後幅に比べて小さく設定されている。
【００３５】
シール部材５６は平面視して枠体状に形成されて、ワークトップ１０の上面１０ａ、あるいは部分的にスペーサ５５の上面５５ａと被支持部２５の下面２５ｃとの間に介装されるものである。
シール部材５６の左右幅および前後幅は、被支持部２５の左右幅および前後幅とほぼ等しく設定されている。
他の構成は図１から図６に示したものと同様であるから、同一の符号を付してその説明を省略する。
【００３６】
上記構成において、図１から図６に示したコンロ１２を、コンロ５７に交換する場合について説明する。コンロ５７はコンロ１２に比べてその被支持部２５の左右幅が大きく、その左右幅は、上側開口２０の左右幅よりも大きい。且つ前後幅は上側開口２０の前後幅に比べて小さく、したがって、コンロ５７の本体２４を、上側開口２０および下側開口２１を挿通させるようにして被支持部２５を上側開口２０の外側縁部に載置して支持させると、上側開口２０の左右部側および前側は被支持部２５によって覆われるが、上側開口２０の後側は被支持部２５によっては覆われず、上方に開放された状態となる。
【００３７】
そこで、コンロ１２を、コンロ５７に交換する場合では、コンロ５７を開口部５０に装着する前に、先ず、シール部材４１の上にスペーサ５５を載置する。そうすると、スペーサ５５によって、中開口３１のほぼ全体が充填されることになる。また、スペーサ５５の上面５５ａがワークトップ１０の上面１０ａと面一になる。
【００３８】
次に、シール部材５６をワークトップ１０の上面１０ａの、上側開口２０の外側縁部に載置し、最後にコンロ５７をその本体２４が挿通穴５８、下側開口２１に上方から挿通させるようにして被支持部２５を、シール部材５６を介してワークトップ１０の上面１０ａに載置する。
このようにすると、スペーサ５５の上面５５ａがワークトップ１０の上面１０ａと実質的に面一になっており、スペーサ５５によって中開口３１が充填されているから、被支持部２５に対する後側（奥側）の中開口３１も見えることがない。したがって、被支持部２５に対する後側の中開口３１に汚れ等が溜まるのを防止することができる。
【００３９】
また、スペーサ５５によって、挿通穴５８を有して、中開口３１のほぼ全体が充填されることになるから、上板１３が、上側開口２０を形成していない状態にほぼ復元されることになり、したがってコンロ１２を、別のサイズのコンロ５７に交換する際に支障なくこれを上板１３に取付けることができる。
【００４０】
コンロ５７の前後幅が上側開口２０の前後幅に比べて小さい場合では、スペーサ５５（上側開口２０）の後側は被支持部２５によっては覆われないことがあるが、コンロ５７の被支持部２５の後部が上下方向で対向することになる。したがって、スペーサ５５の上面５５ａとコンロ５７の被支持部２５の下面２５ｃとの間にシール部材５６を介装することで、シールを確実に行うことができる。
【００４１】
被支持部２５の底面２５ｃの外周部がワークトップ１０の上面１０ａにわずかにしか掛からない場合であると、ワークトップ１０での被支持部２５の支持が不安定になるが、上記のように中開口３１をほぼ充填するようなスペーサ５５を設けることによって、コンロ５７が左右方向あるいは前後方向に位置ずれしたとしてもコンロ５７をスペーサ５５によって確実に上板１３に支持することができる。
【００４２】
なお、シール部材５６の左右幅および前後幅は、被支持部２５の左右幅および前後幅とほぼ等しく設定されているから、シール部材５６の後枠部分は、被支持部２５とスペーサ５５の上面５５ａとの間に介装されることになり、シール部材５６のそれ以外の枠部分は被支持部２５とワークトップ１０の上面１０ａとの間に介装された状態で、シールをすることになる。
【００４３】
上記実施形態では、スペーサ５５は矩形枠状の一体物としたが、例えばスペーサ５５を、挿通穴５８を設けるようにして中開口３１を充填するような四本のスペーサ部材の組合わせによって構成することも可能である。
【図面の簡単な説明】
【００４４】
【図１】本発明の実施形態を示すシステムキッチンの上方からの概略斜視図
【図２】同じくコンロキャビネット部分の断面図
【図３】同じくシール部材をコンロキャビネットに装着する前の断面図
【図４】同じくシール部材をコンロキャビネットに装着した後の断面図
【図５】同じくコンロキャビネットの使用状態を示す断面図
【図６】同じくコンロキャビネットの使用状態を示す断面図
【図７】同じくコンロを交換する際のコンロの組付け状態を示す概略斜視図
【図８】同じくコンロを組付けた後の断面図
【図９】同じくスペーサを開口部に組付ける状態を示す断面図
【図１０】同じくスペーサを開口部に組付けた状態を示す断面図
【符号の説明】
【００４５】
１…システムキッチン、２…台所、３…キャビネット、５…コンロキャビネット、６…調理台キャビネット、７…シンクキャビネット、１０…ワークトップ、１０ａ…上面、１１…グリル、１２…コンロ、１３…上板、１３ａ…上面、１４…上板材、１５…下板材、２０…上側開口、２１…下側開口、２２…段付き面、２３…延長部、２４…本体、２５…被支持部、２５ａ…上面、２５ｂ…側面、２５ｃ…底面、２６…調理器具、２７…シール部材、２８…矩形環部、２８ａ…上面、２８ｂ…下面、３１…中開口、３２…傾斜面、３３…傾斜壁、３３ａ…下端部、３５…角錐台部、３５ａ…外側面、３５ｂ…内側面、３６…開口、４０…支持枠体部、４１…シール部材、５０…開口部、５５…スペーサ、５６…シール部材、５７…コンロ、５８…挿通穴、５５ａ…上面、５５ｂ…下面、５５ｃ…外側面
【図１】
0005162166.tif 000002
【図２】
0005162166.tif 000003
【図３】
0005162166.tif 000004
【図４】
0005162166.tif 000005
【図５】
0005162166.tif 000006
【図６】
0005162166.tif 000007
【図７】
0005162166.tif 000008
【図８】
0005162166.tif 000009
【図９】
0005162166.tif 000010
【図１０】
0005162166.tif 000011